(57)【特許請求の範囲】
【請求項１】
可能な通信モードのグループからＩＤ通信パートナーデバイスの所望の通信モードを活性化させるための方法であって、前記グループは少なくとも第一のモード及び第二のモードを有し、
前記ＩＤ通信パートナーデバイス及び少なくとも一つの他のＩＤ通信パートナーデバイスが通信接続し、
前記少なくとも一つの他のＩＤ通信パートナーデバイスによってキャリア信号が出力され、前記キャリア信号は前記ＩＤ通信パートナーデバイスによって受信され、
前記キャリア信号は、前記少なくとも一つの他のＩＤ通信パートナーデバイスによって少なくとも一つのモード活性化信号により繰り返し指定され、
前記モード活性化信号の存在が前記ＩＤ通信パートナーデバイスによって認識され、認識結果信号がもたらされ、
前記認識結果信号に応じて前記ＩＤ通信パートナーデバイスの前記所望の通信モードが活性化される方法。
【請求項２】
前記ＩＤ通信パートナーデバイスにおいてタグトークファーストモード又はリーダトークファーストモードの何れかが活性化される請求項１に記載の方法。
【請求項３】
前記少なくとも一つのモード活性化信号が、少なくとも一つの正弦波信号によって形成され、前記キャリア信号は前記少なくとも一つの正弦波信号を使用する変調によって指定される請求項１又は２に記載の方法。
【請求項４】
前記モード活性化信号が、相関による復調によって認識される請求項３に記載の方法。
【請求項５】
前記モード活性化信号が、当該信号をフィルタリングすることによって認識される請求項３に記載の方法。
【請求項６】
前記キャリア信号が、所定の時間インタバルにおいてのみ指定される請求項１又は２に記載の方法。
【請求項７】
通信状態の認識が実行され、前記モード活性化信号による前記キャリア信号の前記繰り返される指定が前記通信状態に応じて実行される請求項１又は２に記載の方法。
【請求項８】
通信局として設計されるＩＤ通信パートナーデバイスのための集積回路であって、
データキャリアとして設計されるＩＤ通信パートナーデバイスによって受信され得るキャリア信号を出力するための出力手段と、
少なくとも一つのモード活性化信号を生成するための生成手段と、
前記少なくとも一つのモード活性化信号によって前記キャリア信号が繰り返し指定され得る指定手段と
を有する集積回路。
【請求項９】
前記生成手段は、少なくとも一つの正弦波信号によって前記少なくとも一つのモード活性化信号を形成するように設計され、
前記指定手段は、変調によって前記少なくとも一つの正弦波信号で前記キャリア信号を指定するように設計される
請求項８に記載の集積回路。
【請求項１０】
前記指定手段は、所定の時間インタバルでのみ前記キャリア信号を指定するように設計される請求項８又は９に記載の集積回路。
【請求項１１】
前記ＩＤ通信パートナーデバイスの通信状態が認識され得る通信状態認識手段ももたらされ、
前記指定手段は、前記通信状態に応じて前記モード活性化信号によって前記キャリア信号を繰り返し指定するように設計される
請求項８に記載の集積回路。
【請求項１２】
通信局として設計されると共に、請求項８乃至１１の何れか一項に記載の集積回路を備えるＩＤ通信パートナーデバイス。
【請求項１３】
データキャリアとして設計されるＩＤ通信パートナーデバイスのための集積回路であって、
可能な通信モードのグループから前記ＩＤ通信パートナーデバイスの所望の通信モードを活性化させるための活性化手段と、
少なくともタグトークファーストモード及びリーダトークファーストモードを有する前記可能な通信モードのグループのモード制御データを記憶するための記憶手段と、
ＩＤ通信パートナーデバイスによって出力されると共にモード活性化信号で指定されるキャリア信号を受信するための受信手段と、
前記少なくとも一つのモード活性化信号の存在を認識する認識手段であって、当該認識手段により生成される認識結果信号に応じて、前記ＩＤ通信パートナーデバイスの前記所望の通信モードが、前記活性化手段によって活性化され得るような認識手段と、
を有する集積回路。
【請求項１４】
前記認識手段は、相関による復調によって前記少なくとも一つのモード活性化信号の存在の認識を実行するように設計される請求項１３に記載の集積回路。
【請求項１５】
前記認識手段は前記少なくとも一つのモード活性化信号の存在を、当該信号をフィルタリングすることによって認識するように設計される請求項１３に記載の集積回路。
【請求項１６】
データキャリアとして設計されると共に、請求項１３乃至１５の何れか一項に記載の集積回路を備えるＩＤ通信パートナーデバイス。
【発明の詳細な説明】
【技術分野】
【０００１】
本発明は、可能な通信モードのグループからＩＤ通信パートナー（相手先）デバイス（ＩＤ  ｃｏｍｍｕｎｉｃａｔｉｏｎ  ｐａｒｔｎｅｒ  ｄｅｖｉｃｅ）の所望の通信モードを活性化させるための方法に関する。
【０００２】
本発明は更に、可能な通信モードのグループからＩＤ通信パートナーデバイスの所望の通信モードを活性化させるための活性化手段を有する、ＩＤ通信パートナーデバイスのための集積回路に関する。
【背景技術】
【０００３】
複数の様々な実施例において公に使用されていると共にリーダトークファースト（ＲＴＦ（Ｒｅａｄｅｒ  Ｔａｌｋ  Ｆｉｒｓｔ））システムとして設計されているＩＤ通信パートナーデバイスを有する十分に知られている通信システムにおいて、ＩＤ通信パートナーデバイスのいくつかは中継器（トランスポンダ（ｔｒａｎｓｐｏｎｄｅｒ））又はＩＤタグによって各々形成され、他のＩＤ通信パートナーデバイスは通信局によって各々形成される。この場合略記ＩＤ（ａｂｂｒｅｖｉａｔｉｏｎ  ＩＤ）は語“識別（ラベル）（ｉｄｅｎｔｉｆｉｃａｔｉｏｎ）”を表している。中継器は通信局との通信接続部にもたらされ得る。このような通信接続部がセットアップされると、この種のＲＴＦシステムにおいて通信局はます常に活性（アクティブ）になる。呼びかけ信号（ｉｎｔｅｒｒｏｇａｔｉｏｎ  ｓｉｇｎａｌ）が通信局によって出力され、当該呼びかけ信号は通信局の通信範囲（帯域（ｒａｎｇｅ））内にあるＩＤタグによって受信され、その結果これらのＩＤタグは各々、応答信号（ｒｅｓｐｏｎｓｅ  ｓｉｇｎａｌ）を通信局に出力する。このような応答信号は例えば特性（固有）信号（ｃｈａｒａｃｔｅｒｉｓｔｉｃ  ｓｉｇｎａｌ）を含んでいてもよく、当該特性信号は各々の場合、ＩＤタグを表しており、結果としてＩＤタグを互いに識別するために通信局によって使用される。特定の通信プロトコルによってこのような通信局は、在庫処理（インベントリプロセス（ｉｎｖｅｎｔｏｒｙｉｎｇ  ｐｒｏｃｅｓｓ））中に様々なＩＤタグによって送信される応答信号を明確に認識し得る。
【０００４】
同様に公に使用されていると共に長い間知られてきたタグトークファースト（ＴＴＦ（Ｔａｇ  Ｔａｌｋ  Ｆｉｒｓｔ））システムにおいて、ＩＤタグが、このために通信局によって呼びかけられることを必要とすることなくそれ自体で活性になることは可能である。このようなＩＤタグ自体は識別信号を出力し、当該識別信号は好適な通信局によって受信され、その後所定の通信プロトコルに従って二つのＩＤ通信パートナーデバイスの間の更なる通信が実行される。
【０００５】
ＲＴＦシステムにおいて、ＴＴＦシステムのために設計されるか、又はＴＴＦモードを有するＩＤタグはＲＴＦシステムにおける通信の混乱（ｄｉｓｒｕｐｔｉｏｎ）をもたらし、それ故にＲＴＦシステムにおいて使用され得ない。しかしながらある用途に対して、ＲＴＦシステムにおけるＴＴＦシステムに対するこのようなＩＤタグの使用は非常に有利であり、所望される。
【０００６】
文献国際特許出願第ＷＯ０２／４１６５０Ａ１号公報は、両方のシステムにおいて使用され得るＩＤタグを開示している。このような知られているＩＤタグの場合、二つのモード、すなわち二つの通信モードの間の切り換えは、ＴＴＦシステムにおける使用のために必要とされるモードと、ＲＴＦシステムにおける使用のために必要とされるモードとの間で特定されるように実行される。この場合このような切り換えは活性化手段によって実行されるので、ＩＤタグの記憶手段においてビット値は、通信局によって送信されるコマンドによってセットされるか、又は消去されることが可能であり、当該通信モードは、セットされたビット値に依存して調整される。知られている方法及び知られているＩＤタグの不利点は、ＩＤタグが、一方の用途、又は他方の用途の何れかに対して前もって書き込まれていなければならないこと、すなわちビット値がコマンドによってセットされなければならないことにあり、このことは例えばＩＤタグが生成されるとき、又はＩＤタグが初期化されるときと同じくらい早く行われる。一方のシステムにおける使用のために書き込まれる（プログラムされる）ＩＤタグ、すなわち例えばＴＴＦシステムのために書き込まれるＩＤタグは他のシステム、すなわち例えばＲＴＦシステムにおいて機能し得ず、又はこのようなシステムにおいて混乱をもたらし、このことが不利になる。しかしながらしかるべき書き換え（再書き込み）（ｒｅｐｒｏｇｒａｍｍｉｎｇ）がもたらされる場合、このことは、このために適していると共に好適な通信プロトコルを提供しなければならない特定の通信局を必要とする。このことは、多くの場合満足されない条件であり、困難になり得ると共に高価となり得る。このことは不利となる。
【発明の開示】
【発明が解決しようとする課題】
【０００７】
本発明の目的は上記の不利点を解消することにあり、通信局として設計されるＩＤ通信パートナーデバイスのための改善された集積回路及び改善された方法と、通信局として設計される改善されたＩＤ通信パートナーデバイスと、データキャリアとして設計されるＩＤ通信パートナーデバイスのための改善された集積回路と、データキャリアとして設計される改善されたＩＤ通信パートナーデバイスとをもたらすことにある。
【課題を解決するための手段】
【０００８】
上記目的を達成するために、本発明による方法に本発明による特徴ももたらされるので、本発明による方法は以下のように、すなわち、
可能な通信モードのグループからＩＤ通信パートナーデバイスの所望の通信モードを活性化させるための方法であって、前記グループは少なくとも第一のモード及び第二のモードを有し、前記ＩＤ通信パートナーデバイス及び少なくとも一つの他のＩＤ通信パートナーデバイスが通信接続部にもたらされ、前記少なくとも一つの他のＩＤ通信パートナーデバイスによってキャリア信号が出力され、前記キャリア信号は前記ＩＤ通信パートナーデバイスによって受信され、前記キャリア信号は、前記少なくとも一つの他のＩＤ通信パートナーデバイスによって少なくとも一つのモード活性化信号により繰り返し指定され、前記モード活性化信号の存在が前記ＩＤ通信パートナーデバイスによって認識され、認識結果信号がもたらされ、前記認識結果信号の関数として前記ＩＤ通信パートナーデバイスの前記所望の通信モードが活性化される方法
によって特徴付けられ得る。
【０００９】
上記目的を達成するために、本発明によれば、通信局として設計されるＩＤ通信パートナーデバイスのための集積回路に本発明による特徴がもたらされるので、本発明による集積回路は以下のように、すなわち、
通信局として設計されるＩＤ通信パートナーデバイスのための集積回路であって、
ＩＤ通信パートナーデバイスによって受信され得るキャリア信号を出力するための出力手段と、少なくとも一つのモード活性化信号を生成するための生成手段と、前記少なくとも一つのモード活性化信号によって前記キャリア信号が繰り返し指定され得る指定手段と
を有する集積回路
によって特徴付けられ得る。
【００１０】
上記目的を達成するために、本発明によれば、通信局として設計されるＩＤ通信パートナーデバイスにここでも本発明による特徴がもたらされるので、本発明による当該ＩＤ通信パートナーデバイスは以下のように特徴付けられ得る。すなわち、
本発明によれば、通信局として設計されると共に通信局として設計されるＩＤ通信パートナーデバイスのための集積回路を備えるＩＤ通信パートナーデバイスである。
【００１１】
上記目的を達成するために、本発明によれば、データキャリアとして設計されるＩＤ通信パートナーデバイスのための集積回路にここでも本発明による特徴がもたらされるので、本発明による当該集積回路は以下のように、すなわち、
データキャリアとして設計されるＩＤ通信パートナーデバイスのための集積回路であって、
可能な通信モードのグループから前記ＩＤ通信パートナーデバイスの所望の通信モードを活性化させるための活性化手段と、少なくとも第一のモード及び第二のモードを有する前記可能な通信モードのグループのモード制御データを記憶するための記憶手段と、ＩＤ通信パートナーデバイスによって出力されると共にモード活性化信号で指定されるキャリア信号を受信するための受信手段と、前記少なくとも一つのモード活性化信号の存在を認識し、認識結果信号が生成されることは可能であり、前記認識結果信号の関数として前記ＩＤ通信パートナーデバイスの前記所望の通信モードの活性化は前記活性化手段によって活性化され得るための認識手段と
を有する集積回路
によって特徴付けられ得る。
【００１２】
上記目的を達成するために、本発明によれば、データキャリアとして設計されるＩＤ通信パートナーデバイスのための集積回路にここでも本発明による特徴がもたらされるので、本発明による当該集積回路は以下のように特徴付けられ得る。すなわち、
本発明によれば、データキャリアとして設計されると共にデータキャリアとして設計されるＩＤ通信パートナーデバイスのための集積回路を備えるＩＤ通信パートナーデバイスである。
【００１３】
本発明による特徴をもたらすことによって、本発明により設計されるＩＤ通信パートナーデバイスが使用されるとき、データキャリアとして設計されるＩＤ通信パートナーデバイスはどの通信モードが活性化されるべきかを自動的に認識することができるので、関連するデータキャリア自体は呼びかけを待つことを必要とすることなく、しかるべき箇所で通信を開始し、当該データキャリアは、通信局として設計されるＩＤ通信パートナーデバイスが中央通信制御ユニット（ｃｅｎｔｒａｌ  ｃｏｍｍｕｎｉｃａｔｉｏｎ  ｃｏｎｔｒｏｌ  ｕｎｉｔ）として通信モードを決定する通信システムにおいてさえ混乱なく使用されることが可能であり、後者によって呼びかけられるとき、通信局の通信範囲に位置される全てのデータキャリアは基地局と通信してもよい。
【００１４】
請求項２に記載の手段を提供することによって、データキャリアとして設計されるＩＤ通信パートナーデバイスは、知られていると共に広く普及している通信システムにおいて使用され得るという利点がもたらされる。
【００１５】
請求項３又は請求項８に記載の手段を提供することによって、モード活性化信号（ｍｏｄｅ  ａｃｔｉｖａｔｉｏｎ  ｓｉｇｎａｌ）は、比較的簡単な態様で生成され得るという利点がもたらされる。
【００１６】
請求項４又は請求項１４に記載の手段を提供することによって、有利なことに継続的に指定されているキャリア信号は通信システムにおいて使用され得ると共に、継続的に指定されているキャリア信号は簡単な復調器によって、各々の場合においてデータキャリアとして設計される通信局において復調され得るという状態がもたらされる。
【００１７】
請求項５又は請求項１５に記載の手段を提供することによって、継続的に指定されているキャリア信号は通信システムにおいて使用され得ると共に、継続的に指定されているキャリア信号は簡単なフィルタによって、データキャリアとして設計される通信パートナーデバイスにおいて検出され得るという状態が有利にもたらされる。
【００１８】
本発明による方法において、又は通信局として設計される本発明によるＩＤ通信パートナーデバイスにおいて、キャリア信号の指定が継続的に行われてもよい。しかしながら請求項６又は請求項１０に記載の手段が提供される場合、特に有利になることが分かっている。その結果、比較的簡単な復調方法は、各々の場合、データキャリアとして設計される通信パートナーデバイスにおけるモード活性化信号の認識において使用されることが可能であり、当該復調方法はともすれば、コマンド信号を送信するためのキャリア信号の同時使用及びキャリア信号の継続的な指定の際、送信信号の認識中に混乱効果（ｄｉｓｒｕｐｔｉｖｅ  ｅｆｆｅｃｔ）を有し得るという状態がもたらされる。
【００１９】
通信局として設計される本発明によるＩＤ通信パートナーデバイスにおいて、キャリア信号の指定に対して指定開始点（ポイント）（ｄｅｓｉｇｎａｔｉｏｎ  ｓｔａｒｔ  ｐｏｉｎｔ）及び指定継続期間（ｄｅｓｉｇｎａｔｉｏｎ  ｄｕｒａｔｉｏｎ）はオペレータによって手動でセットされるか、又は予め規定され得る。しかしながら請求項７又は請求項１１に記載の手段が提供される場合、特に有利になることが分かっている。その結果、通信局として設計されるＩＤ通信パートナーデバイスにおいて指定開始点及び指定継続期間はキャリア信号の指定に対して自動的に決定され得るという状態がもたらされる。
【００２０】
本発明の上記態様及び他の態様は、以下に記載された実施例から明らかであり、これらの実施例を基づいて説明される。
【００２１】
本発明は図面に示されている実施例を参照して更に記載されるであろうが、本発明が当該図面に限定されることはない。
【発明を実施するための最良の形態】
【００２２】
図１は、破線によって示される通信範囲ＣＡにおいてＲＦＩＤ通信パートナーデバイスを備えるＲＦＩＤ通信システム１を示している。この場合一方のＲＦＩＤ通信パートナーデバイスはデータキャリア２として設計され、他方のＲＦＩＤ通信パートナーデバイスは通信局４として設計され、更なるＲＦＩＤ通信パートナーデバイスはデータキャリア２’として設計され、データキャリア２及び通信局４はより詳細に示されている。
【００２３】
同様に読取り（リーダ）局（ｒｅａｄｅｒ  ｓｔａｔｉｏｎ）４と称されてもよい通信局４は、二つのデータキャリア２及び２’を備える非接触（コンタクトレス）通信（ｃｏｎｔａｃｔｌｅｓｓ  ｃｏｍｍｕｎｉｃａｔｉｏｎ）のために設計される。
【００２４】
読取り局４は、送信する手段と受信する手段との両方を形成し、送信中の通信範囲ＣＡを規定し、１３．５６ＭＨｚの周波数で読取り信号ＲＳを送信するように設計され、二つのデータキャリア２及び２’からデータキャリア信号ＴＳを受信するように設計される送信手段５を有する。当該送信手段５は、例えば文献米国特許第ＵＳ５５３７１０５Ａ１号公報から長い間知られており、当該文献の開示は参照によってここに含まれる。
【００２５】
読取り局４は、同様に知られている目的のためにキャリア信号生成手段６、変調手段７、及び復調手段８を更に有している。読取り局４は、後続する手段、すなわちコマンド信号を生成すると共に変調手段７にコマンド信号を出力するためのコマンド信号生成手段１０を形成するマイクロプロセッサによって形成される処理手段９と、復調手段８によって出力される復調受信信号を処理するように設計される受信信号処理手段１１と、コマンド信号生成手段１０、受信信号処理手段１１、及び示されていない他の手段を制御するためのシーケンス（順序）制御手段１２とを更に有している。
【００２６】
シーケンス制御手段１２は、通信状態を認識するように設計される通信状態（ステータス）認識手段（ｃｏｍｍｕｎｉｃａｔｉｏｎ  ｓｔａｔｕｓ  ｒｅｃｏｇｎｉｔｉｏｎ  ｍｅａｎｓ）１３と、この場合二つの通信モードの間での切り換えのために設計される通信モード切り換え手段（ｃｏｍｍｕｎｉｃａｔｉｏｎ  ｍｏｄｅ  ｃｈａｎｇｅｏｖｅｒ  ｍｅａｎｓ）１４とを有している。
【００２７】
読取り局４は、処理手段９とシーケンス制御手段１２とに接続され、二つの通信モードのモード制御データを記憶すると共に受信情報を記憶するように設計される記憶手段１５を更に有している。
【００２８】
データキャリア２及び２’は、データキャリア信号ＴＳを送信すると共に読取り局４によって出力される読取り信号ＲＳを受信するための送信手段１６を有している。データキャリア２及び２’は、受動データキャリアとして知られていると共に、更に詳細には示されないクロック信号生成手段及び動作電圧生成手段を有するものによって形成され、当該クロック信号生成手段又は動作電圧生成手段で、データキャリアを動作させるための動作電圧又はクロック信号が、読取り局４によって出力される信号、例えば読取り信号ＲＳからもたらされる。データキャリア２及び２’は応答情報ＡＮＳ及び他の情報を送信するように設計され、その送信の間、読取り局４によって出力される変調されていない（非変調）キャリア信号が、応答情報に依存して負荷変調（ロードモジュレーション（ｌｏａｄ  ｍｏｄｕｌａｔｉｏｎ））に従ってサブ（副）キャリア信号（ｓｕｂｃａｒｒｉｅｒ  ｓｉｇｎａｌ）を使用して変調される。このためデータキャリア２又は２’は、とりわけマイクロコンピュータによって形成される処理手段１７を有する集積回路３を有しており、当該処理手段１７は、コマンド／応答生成手段１８、シーケンス制御手段１９、及び前記処理手段１７に含まれるデータキャリア記憶手段２０を使用して送信手段１６に変調手段２１を介して応答情報ＡＮＳを出力する。
【００２９】
更に集積回路３は、送信手段１６によって受信されていると共にコマンド信号に従って変調されている読取り信号ＲＳを復調するように設計されるコマンド信号復調手段２２を有している。処理手段１７は、コマンド信号を認識すると共にこれらのコマンド信号をシーケンス制御手段１９に出力するように設計されるコマンド信号認識手段２３を更に有している。当該コマンド／応答生成手段１８、シーケンス制御手段１９、データキャリア記憶手段２０、変調手段２１、コマンド信号復調手段２２、及びコマンド信号認識手段２３は例えば（参照によって開示内容は本願に含まれる）国際特許出願第ＩＢ０３／０１４４０号で優先権主張されている欧州特許出願番号第ＥＰ０２１００３９９．１号公報（ＰＨＡＴ０２００２０ＥＰ−Ｐ）から知られている。
【００３０】
集積回路３は、ＲＴＦ／ＴＴＦ活性化信号で指定されるか、又はラベル表示される読取り信号ＲＳを認識するように設計されるＲＴＦ／ＴＴＦ活性化信号認識手段２４を更に有しており、このことは以下、より詳細に記載される。
【００３１】
処理手段１７は、二つの通信モードのモード制御データを記憶するための制御データ記憶手段２５と、活性化手段２８とを更に有しており、ＴＴＦモードの制御データのための記憶ブロック２６及びＲＴＦモードの制御データのための記憶ブロック２７が制御データ記憶手段２５に記憶される。ＴＴＦ及びＲＴＦモードの制御データはこの場合ソフトウエアコードセクション（ソフトウエア符号区分（ｓｏｆｔｗａｒｅ  ｃｏｄｅ  ｓｅｃｔｉｏｎ））として設計され、制御データ記憶手段２５は不揮発性メモリＲＯＭとして設計される。制御データ記憶手段２５はＥＰＲＯＭとして設計され得ることが注意されてもよい。ＴＴＦ及びＲＴＦモードの制御データは同様にハードワイヤード論理回路（配線による論理回路（ｈａｒｄｗｉｒｅｄ  ｌｏｇｉｃ  ｃｉｒｃｕｉｔ））によって形成され得ることが注意されてもよい。ＲＴＦ／ＴＴＦ活性化信号認識手段２４、制御データ記憶手段２５、及び活性化手段２７に関する更なる詳細は以下に記載される。
【００３２】
実施例及び図２を使用すると、本発明による二つのデータキャリア２及び２’と、本発明による読取り局４との機能が以下詳細に記載される。
【００３３】
一つの非常にありふれた用途において、ＲＴＦモードは通信モード切り換え手段１４によって読取り局４で最初にセットされ、ＲＴＦモードが実行され得る多数のデータキャリア（より詳細には示されていない）は読取り局４との通信接続部にもたらされ、当該データキャリアによって読取り局４の通信範囲ＣＡにもたらされる。当該データキャリアは例えば地下鉄システムのための電子切符（ｅｌｅｃｔｒｏｎｉｃ  ｔｉｃｋｅｔ）を形成し、当該切符は、旅費を支払うために旅行に先立って、又は旅行の出発の際に読取り局４の通信範囲ＣＡにもたらされる。当該データキャリアの各々に含まれるデータの読み出し及び／又は当該データキャリアの各々に対するデータの書き込みが実行され得る前に、少なくとも一つのデータキャリアの在庫管理（インベントリング（ｉｎｖｅｎｔｏｒｙｉｎｇ））として知られることが、前記データキャリアと非接触で通信している読取り局４によって実行されなければならない。当該在庫管理中に各々のデータキャリアに対して、関連するデータキャリアにとって重要となる識別データＩＤが、関連するデータキャリアから読取り局４に送信され、読取り局４に記憶されるので、読取り局４において読取り局４との通信接続部にもたらされる全てのデータキャリアの識別データＩＤが知られる。その結果例えば関連するデータキャリアから有用なデータを読み出すため、又は関連するデータキャリアに有用なデータを記憶するため、読取り局４は、目標とされると共に誤りのない態様で各々のデータキャリアとの通信接続部に入るデータキャリアを示す識別データＩＤを使用することが可能となる。読取り局４との通信接続部にもたらされ得る全てのデータキャリアに対して識別データＩＤが決定される必要はないが、むしろ最初に応答するデータキャリアの識別データＩＤを知ることで十分であることが注意されてもよい。
【００３４】
用途例によれば、データキャリア２及びデータキャリア２’はマルチタグ機能（ｍｕｌｔｉｔａｇ  ｆｕｎｃｔｉｏｎａｌｉｔｙ）として知られているものを有し、二つのデータキャリア２及び２’は、例えば地下鉄システム又は駐車場等にアクセスする権限（オーソライゼーション（ａｕｔｈｏｒｉｚａｔｉｏｎ））といった多数の権限を有するマルチタグカードとして各々設計される。データキャリア２のユーザ又は所有者及びデータキャリア２’の他の所有者はそれから有利なことに、非常に簡単な態様でこのようなアクセス権限を交換する可能性又は二つのデータキャリア２と２’との間にこのようなアクセス権限を送信する可能性を有する。例えば地下鉄システムのための日常パス（ｐａｓｓ）又は地下鉄システムを利用する権限は、引き渡されなければならない（なお多数の更なる権限を含む）マルチタグカードを用いることなくあるユーザから他のユーザに渡され得る。
【００３５】
このような方法及びそれに関連してＲＦＩＤ通信パートナーデバイスの間、すなわちデータキャリア２及び２’と読取り局４との間の通信シーケンスが、以下図２に基づいて記載される。図２は、読取り局４とデータキャリア２及び２’との両方の通信信号の時間シーケンスを示しており、読取り局４の読取り信号はＲＳと表され、データキャリア２のデータキャリア信号はＴＳ１と表され、データキャリア２’のデータキャリア信号はＴＳ２と表される。
【００３６】
通信シーケンスの始めに、データキャリア２のみは読取り局４の通信範囲ＣＡ内にもたらされることが仮定される。読取り局４は最初ＲＴＦモードにセットされ、時点ｔ１から時点ｔ２に読取り信号ＲＳとして在庫管理コマンドＩＧＣＯを出力する。当該在庫管理コマンドＩＧＣＯはコマンド信号生成手段１０によって生成され、変調手段７に出力される。前記在庫管理コマンドＩＧＣＯはデータキャリア２によって受信されると共に認識される。まだＲＴＦ／ＴＴＦ活性化信号はもたらされていないため、データキャリア２のＲＴＦ／ＴＴＦ活性化信号認識手段２４は認識結果信号ＲＲＳを活性化手段２８に出力するので、ＲＴＦモードが活性化される。データキャリア２のＲＴＦモードによれば、応答信号ＡＮＳ１と共にデータキャリア信号ＴＳ１は当該データキャリア２によって時点ｔ３から時点ｔ４に出力され、読取り局４によって受信され、応答信号ＡＮＳ１はこの場合識別番号又はシリアル番号によって形成され、当該シリアル番号はデータキャリア記憶手段２０に記憶される。その後読取り局４は時点ｔ５から時点ｔ６に選択コマンドＳＥＬ−１を出力し、当該選択コマンドＳＥＬ−１はデータキャリア２によって受信され、肯定応答（アクノレッジメント（ａｃｋｎｏｗｌｅｄｇｅｍｅｎｔ））信号ＡＣＫ−１によって肯定応答（通知）される。肯定応答信号ＡＣＫ−１に後続して、読取り局４は選択解除コマンド（ｄｅｓｅｌｅｃｔｉｏｎ ｃｏｍｍａｎｄ）ＤＳＥＬ−１を出力し、当該選択解除コマンドＤＳＥＬ−１はデータキャリア２によって受信され、今度は肯定応答信号ＡＣＫ１により後者によって肯定応答される。読取り局４による通信はこの場合終了させられ、この効果に対する通信状態が読取り局４の通信状態認識手段１３によって認識される。その後、前記通信状態認識手段１３は通信モード切り換え手段１４によって、ＴＴＦモードへの読取り局４の通信モードの切り換えを開始させ、当該ＴＴＦモードにおいて、好適なデータキャリアが自身でこのような通信も開始させ得るため、読取り局４はもはや通信を開始させる必要がない。同時に通信状態認識手段１３は、ＲＴＦ／ＴＴＦ活性化信号を生成するための生成手段２９によってＲＴＦ／ＴＴＦ活性化信号ＡＳの生成を開始させ、当該生成手段２９は通信状態認識手段１３に接続され、前記ＲＴＦ／ＴＴＦ活性化信号ＡＳの出力部は変調手段７に接続される。変調手段７において時点ｔ１３からキャリア信号ＣＳはＲＴＦ／ＴＴＦ活性化信号ＡＳで継続的に指定され、送信手段５を介してＲＴＦ／ＴＴＦ活性化信号で正確に読取り信号ＲＳとして出力されるであろう。ＲＴＦ／ＴＴＦ活性化信号はこの場合正弦波信号（ｓｉｎｕｓｏｉｄａｌ ｓｉｇｎａｌ）によって形成され、その周波数は負荷変調で使用されるサブキャリア周波数の整数倍数として選択される。正弦波信号の周波数は同様にサブキャリア信号の周波数よりもかなり低く（例えば１／４又は１／６）なるように選択され得ることが注意されてもよい。
【００３７】
ＲＴＦ／ＴＴＦ活性化信号は他の信号形状、例えば三角形、矩形、又はのこぎり形状によって形成され得ることが更に注意されてもよい。本例の場合のように、キャリア信号ＣＳがコマンド信号を送信するために同時に使用されるとき、当該コマンド信号の周波数スペクトラムとＲＴＦ／ＴＴＦ活性化信号ＡＳの周波数スペクトラムとが互いにオーバラップしないことは、当該オーバラップがこれらの信号を受信するＲＦＩＤ通信パートナーデバイスにおいて送信信号の認識における混乱をもたらすため重要となる。
【００３８】
用途例によれば、時点ｔ１３の後且つ時点ｔ１４の前にデータキャリア２’は読取り局４の通信範囲ＣＡに入る。データキャリア２’のＲＴＦ／ＴＴＦ活性化信号認識手段２４はその直後に、ＲＴＦ／ＴＴＦ活性化信号ＡＳで指定される読取り信号ＲＳがもたらされていることを認識し、その後認識結果信号ＲＲＳを活性化手段２８に出力することによってＴＴＦモードへのデータキャリア２’の供給を開始させる。この場合ＲＴＦ／ＴＴＦ活性化信号認識手段２４は簡単な復調器によって形成され、当該復調器はＲＴＦ／ＴＴＦ活性化信号ＡＳの周波数に同調（チューニング）され、当該復調は相関（ｃｏｒｒｅｌａｔｉｏｎ）によって実行される。ＲＴＦ／ＴＴＦ活性化信号ＡＳの周波数がサブキャリア信号の周波数よりも低くなるように選択される場合、ＲＴＦ／ＴＴＦ活性化信号認識手段２４は簡単なフィルタによって同様に形成され得ることが注意されてもよい。
【００３９】
データキャリア２’はそれから自身で他のＲＦＩＤ通信パートナーデバイスとの通信を開始するか、又は在庫管理プロセスを開始する。この場合、在庫管理プロセスはタイムスロット方法（ｔｉｍｅ  ｓｌｏｔ  ｍｅｔｈｏｄ）に従って開始されると共に実行される。ここでデータキャリア２’は照会（問合せ）コマンド又は在庫管理コマンドＩＧＣＯ２を時点ｔ１４から時点ｔ１５に出力する。当該在庫管理コマンドＩＧＣＯ２は読取り局４及びデータキャリア２によって受信される。この在庫管理プロセスにおいて、各々の場合、応答信号が生成されると共に二つの受信ＲＦＩＤ通信パートナーデバイスによって出力され、データキャリア２は時点ｔ１６から時点ｔ１７に応答信号ＡＮＳ１を出力し、読取り局４は時点ｔ１８から時点ｔ１９に応答信号ＡＮＳ０を出力する。異なる在庫管理プロセス、例えば（参照によって開示内容は本願に含まれる）国際特許出願第ＩＢ０３／０３９５６号で優先権主張されている欧州特許出願番号第ＥＰ０２１０２３４３．７号公報（ＰＨＡＴ０２００５８ＥＰ−Ｐ）から知られているプロセスが同様に実行され得ることが注意されてもよい。
【００４０】
二つの応答信号ＡＮＳ１及びＡＮＳ０はこの場合識別信号から形成され、データキャリア２’によって受信されると共に評価される。その後、データキャリア２’は時点ｔ２０から時点ｔ２１に選択コマンドＳＥＬ−１を出力し、その結果データキャリア２’はデータキャリア２との更なる通信シーケンスを実行し得る。このような更なる通信シーケンスにおいて、例えば有用なデータはデータキャリア２と２’との間で交換され得る。この場合当該有用なデータは権限データによって形成される。
【００４１】
本発明の更なる実施例によれば、通信状態認識手段１３は読取り局から省略されてもよい。この場合当該読取り局はそれからホストコンピュータに接続されることが可能であり、当該読取り局の通信モードの切り換え及び／又はキャリア信号の指定の活性化はホストコンピュータを使用して管理部（アドニミストレータ（ａｄｍｉｎｉｓｔｒａｔｏｒ））によって開始され得る。同様に当該読取り局は、ＴＴＦ通信モードにおいて継続的に動作すると共に、指定されたキャリア信号を出力するように設計されてもよい。
【００４２】
このような更なる通信シーケンスは、例えばセキュリティ照会（機密保護問合せ）（ｓｅｃｕｒｉｔｙ  ｅｎｑｕｉｒｙ）を実行するように読取り局４を使用することを可能にするために読取り局４を含み得るので、権限によって許可されるデータのみがデータキャリア２と２’との間で交換され得ることが注意されてもよい。
【００４３】
別個のキャリア信号がＲＴＦ／ＴＴＦ活性化信号ＡＳ及びコマンド信号に対して使用され得ることは注意されてもよい。
【００４４】
ＲＴＦ／ＴＴＦ活性化信号ＡＳでのキャリア信号の指定は所定の期間インタバルで実行され得ること、すなわち規定されたＲＴＦ／ＴＴＦ活性化信号シーケンスでの指定が行われ、当該ＲＴＦ／ＴＴＦ活性化信号シーケンスは繰り返されることが注意されてもよい。それ故にＲＴＦ／ＴＴＦ活性化信号シーケンスは、コマンド信号との混乱の可能性がもたらされないように選択されなければならない。二つの連続したＲＴＦ／ＴＴＦ活性化信号シーケンスの間の期間は少なくともコマンド信号と同じくらい長さになるべきである。
【００４５】
同様に読取り局４はデータキャリア２によって形成されることが可能であり、当該データキャリア２は、他のデータキャリアとの通信のための、当該読取り局４と同じ手段を有することが更に注意されてもよい。
【００４６】
本発明による手段を使用して、ＲＴＦモードとして知られていること及びＴＴＦモードとして知られていることの自動認識と、データキャリア（中継器）として設計されるＩＤ通信パートナーデバイスにおいて各々所望されるモードの後続する自動活性化とが実行されることが可能であるばかりでなく、他の形式のモード認識及びモード活性化、例えば短距離モード（ショートレンジモード（ｓｈｏｒｔ−ｒａｎｇｅ  ｍｏｄｅ））として知られていること及び長距離モード（ロングレンジモード（ｌｏｎｇ−ｒａｎｇｅ  ｍｏｄｅ））として知られていることの認識と、後続するこれら二つのモードのうちの一つの活性化とが実行されることも可能である。時分割モード（ｔｉｍｅ−ｄｉｖｉｓｉｏｎａｌ  ｍｏｄｅ）と、周波数分割モード（ｆｒｅｑｕｅｎｃｙ−ｄｉｖｉｓｉｏｎａｌ  ｍｏｄｅ）と、符号分割モード（ｃｏｄｅ−ｄｉｖｉｓｉｏｎａｌ  ｍｏｄｅ）と、後続するこれら三つのモードのうちの一つの活性化とが更に可能である。
【００４７】
上記のように、キャリア信号ＣＳはモード活性化信号ＡＳによって繰り返し指定され、当該指定は、継続的に繰り返されるように、又は期間インタバルでのみ繰り返されるように行われることが可能であり、期間インタバルは同じ長さになってもよく、無作為（ランダム）に異なる長さになってもよい。
【００４８】
図１及び２に基づいて、ＲＦＩＤ通信パートナーデバイスとして知られていることの記載が以上にもたらされている。ここでＲＦＩＤは“無線周波数識別（ｒａｄｉｏ  ｆｒｅｑｕｅｎｃｙ  ｉｄｅｎｔｉｆｉｃａｔｉｏｎ）”に対する略記である。しかしながら本発明による手段が、ＲＦ（ＲＦ＝ｒａｄｉｏ  ｆｒｅｑｕｅｎｃｙ（無線周波数（高周波））帯域で互いに通信するＲＦＩＤ通信パートナーデバイスに限定されることはないが、有利なことにＭＨｚ帯域又はＧＨｚ帯域で互いに通信する他のシステムで使用され得る
【図面の簡単な説明】
【００４９】
【図１】本発明による集積回路を各々含み、本発明の内容に不可欠となる本発明によるＩＤ通信パートナーデバイスの部分をブロック図の形態で概略的に示している。
【図２】ＩＤ通信パートナーデバイスの間に送信される信号及びコマンドを信号タイムチャートの形態で概略的に示している。
【図１】
0004485958.tif 000002
【図２】
0004485958.tif 000003